(57)【要約】      （修正有）【課題】ノート型パソコンを、いつでも、どこでも操作可能とすること。【解決手段】ノート型パソコン（１）を、（２）の板（滑り止めクッション付対振動型）に載せ（３）の調整自在（２本の止金、２本のフック付）のゴム及びチューブバンドを調整締め付け固定し移動可能な（４）丸管Ｉボルト（５）ワッシャー（６）割ワッシャー（７）ナットで適正位置（パソコン操作上支障の無い上下スペース箇所）に締め付け固定し（８）支持物により回転可能な（９）自在カバー、クッション内部付強弾力性及び移動固定自由自在な特殊蛇腹を（１０）上部回転可能な支持物（１１）下部回転可能な支持物を自動車左右サイドボックス等に取り付けパソコン操作を自分の操作し易い所でパソコン操作が可能とする。【選択図】図２
2006031651.tif 000002
【特許請求の範囲】
【請求項１】
ノート型パソコン等（地図、図面、測定器、本、等Ａ４型パソコン以下の重量物）（１）を、（２）の板（滑り止めクッション付対振動型）に載せ（３）の調整自在（２本の止金、２本のフック付）のゴム及びチューブバンドを調整締め付け固定し移動可能な（４）丸管Ｉボルト（５）ワッシャー（６）割ワッシャー（７）ナットで適正位置（パソコン操作上支障の無い上下スペース箇所）に締め付け固定し（８）支持物により回転可能な（９）自在カバー、クッション内部付強弾力性及び移動固定自由自在な特殊蛇腹を（１０）上部回転可能な支持物（１１）下部回転可能な支持物を自動車左右サイドボックス等に取り付けパソコン操作を自分の操作し易い所でパソコン操作が可能です。又、自動車内にＡＣ電源を用いることにより（インバーター電源）いつまでも操作可能となります。その他、（１１）に台座を用いる事により室内外問わず何処でも省スペースで操作が可能です。又、マウスの省略化、パソコンのパット型ポインティングデバイスのみの動作確認操作、殆どの人は使用していないので非常に不経済又、大スペース必要な状態に有ります。
【発明の詳細な説明】
【発明の詳細な説明】
【発明に属する技術分野】
【０００１】ノート型パソコン等を自動車内に固定し操作し易い所で又、台座仕様にすると屋内外問わず省スペースにて何時でも何処でもパソコン操作ができ使用エリアが大きく広がります。
【背景技術】殆どが決められた場所（自動車内でも）や広いスペースが必要でした。
本発明は、ＰＨＳ型プロバイダ等のインターネット操作等及びパソコンウィンドウ内の操作を何処でも出来るようにした物で自動車のハンドルに引っ掛けてノート型パソコンをパソコンカバンケース等から搬出、収納又ハンドルから固定物を外し何処かに置く様な面倒な事も無く又、机上でだけで限られた固定移動する物とも違い非常に便利且つ省スペース、使用エリアの拡大が可能となります。
【発明が解決しようとする課題】
【０００２】これらには次のような欠点があった。ノート型パソコンでは、空中固定移動によってデスクスペースを広くするだけの物上記固定物は殆どの人が使用していない為、ノート型パソコン及びマウスが、机上を占領されている。自動車ハンドル固定型では、固定物をハンドルにセットしパソコンケースからノート型パソコンを出して置く。使用後は、パソコンケースへ収納し固定物を又、取り外し置く。決められた場所のみの操作で又、自動車内のスペースも狭くしている。
【課題を解決するための手段】
【０００３】ノート型パソコン等（地図、図面、測定器、本、等Ａ４型パソコン以下の重量物）（１）を、（２）の板（滑り止めクッション付対振動型）に載せ（３）の調整自在（２本の止金、２本のフック付）のゴム及びチューブバンドを調整締め付け固定し移動可能な（４）丸管Ｉボルト（５）ワッシャー（６）割ワッシャー（７）ナットで適正位置（パソコン操作上支障の無い上下スペース箇所）に締め付け固定し（８）支持物により回転可能な（９）自在カバー、クッション内部付強弾力性及び移動固定自由自在な特殊蛇腹を（１０）上部回転可能な支持物（１１）下部回転可能な支持物を自動車左右サイドボックス等に取り付けパソコン操作を自分の操作し易い所でパソコン操作が可能です。
又、自動車内にＡＣ電源を用いることにより（インバーター電源）いつまでも操作可能となります。その他、（１１）に台座を用いる事により室内外問わず何処でも省スペースで操作が可能です。
又、マウスの省略化、パソコンのパット型ポインティングデバイスのみの動作確認操作、殆どの人は使用していないので非常に不経済又、大スペース必要な状態に有ります。本発明は、以上の構成よりなるノート型パソコン、いつでも、どこでも自由自在と成る物である。
【発明実施の形態】
【０００４】以下本発明実施形態について説明する。ノート型パソコン等（地図、図面、測定器、本、等Ａ４型パソコン以下の重量物）（１）を、（２）の板（滑り止めクッション付対振動型）に載せ（３）の調整自在（２本の止金、２本のフック付）のゴム及びチューブバンドを調整締め付け固定し移動可能な（４）丸管Ｉボルト（５）ワッシャー（６）割ワッシャー（７）ナットで適正位置（パソコン操作上支障の無い上下スペース箇所）に締め付け固定し（８）支持物により回転可能な（９）自在カバー、クッション内部付強弾力性及び移動固定自由自在な特殊蛇腹を（１０）上部回転可能な支持物（１１）下部回転可能な支持物を自動車左右サイドボックス等に取り付けパソコン操作を自分の操作し易い所でパソコン操作が可能です。又、自動車内にＡＣ電源を用いることにより（インバーター電源）いつまでも操作可能となります。その他、（１１）に台座を用いる事により室内外問わず何処でも省スペースで操作が可能です。又、マウスの省略化、パソコンのパット型ポインティングデバイスだけでの動作確認操作、殆どの人は使用していないので非常に不経済又、大スペース必要な状態に有ります。何時でも何処でも省スペースで移動固定可能な物に変わります。
【発明の効果】
【０００５】この発明は、ノート型パソコン等を自動車内、屋内外は、自立スタンド式で何時でも何処でも操作が省スペースで利用でき今までは、使用頻度の低いどんなノート型パソコンにも付いて居るパット型ポインティングを活用しマウスが不要になり経済的にも成ります。国内でＫＤＤＩ社のＡｉｒ−Ｈで２００万人以上、ＮＴＴ社の＠ＦＲＥＥＤで３５万人以上、他社数十万人以上が、ＰＨＳ型プロバイダ契約をして居りますが実際には、限られた場所のみの操作しか出来ず自動車大国日本では、必ず自動車内、手狭な事務所内では、パソコンに机を占領されている事が多々見受けられます。又、海外を含めますと計り知れない需要が見込まれます。その他、色々な物を移動固定が可能で有り需要は、計り知れないです。
【図面の簡単な説明】
【図１】本発明の上面図である。
【図２】本発明の側面図である。
【図３】本発明の板下面図である。
【図４】本発明の自在カバー、クッション内部付強弾力性及び移動固定自由自在な特殊蛇腹の断面図である。
【図５】自動車取り付け以外の場所で使用正面図である。
【図６】自動車取り付け以外の場所で使用側面図である。
【符号の説明】
（１）ノート型パソコン
（２）板（滑り止めクッション付対振動型）
（３）調整自在ドムバンド（２本の止金、２本フック付ゴム及びチューブバンド）
（４）丸管Ｉボルト
（５）ワッシャー
（６）割ワッシャー
（７）ナット
（８）支持物上部（特殊蛇腹回転可能）
（８）支持物下部（特殊蛇腹回転可能）
（９）自在カバー、クッション内部付強弾力性及び移動固定自由自在な特殊蛇腹
（１０）台座
【図１】
2006031651.tif 000003
【図２】
2006031651.tif 000004
【図３】
2006031651.tif 000005
【図４】
2006031651.tif 000006
【図５】
2006031651.tif 000007
【図６】
2006031651.tif 000008
【手続補正書】
【提出日】平成17年7月17日(2005.7.17)
【手続補正１】
【補正対象書類名】特許請求の範囲
【補正対象項目名】全文
【補正方法】変更
【補正の内容】
【特許請求の範囲】
【請求項１】
ノート型パソコン（多機能、ＴＶ、ビデオ、ＤＶＤ、ＧＰＳ、ワイド画面、ＡＵＸ接続等）等、（地図、図面、測定器、本等、ノート型パソコン以下の重量物）（１）を（２）の板（滑り止めクッション付及びパソコン衝撃緩和ゴムパッキン付対振動型）に載せ（３）の調整自在（２本の止金、２本のフック付）のゴム及びチューブバンドを調整締め付け固定し移動可能な（４）丸管Ｉナット（５）座金〔６〕割座金（７）皿ボルトで適正位置（パソコン操作上支障の無い上下スペース箇所）に締め付け固定し（８）支持物により回転可能な（９）自在カバー、クッション内部付強弾力性及び移動固定自由自在な特殊蛇腹を（１０）上部回転可能（蝶ボルトに  り動、止）な支持物（１１）下部回転可能（蝶ボルトに依り動、止）な支持物を自動車助手席側のサイドボックス付近等に強固に取り付けパソコン操作を自分の操作し易い所でパソコン操作が可能です。又、自動車内に交流電源を用いる事に寄り（インバーター電源等）何時までも操作可能となります。その他、（１０）に（１２）ビデオ、カメラ三脚取り付け特殊アダプターを蝶ボルトで締め付け固定し三脚側のビデオ、カメラ取り付けネジに依り締付け固定する事に依り自由自在な角度、高さ、が出来又、携帯折り畳み椅子等を使用すると室内外問わず何処でも省スペースで操作が可能です。（１３）マウス使用スペース板は、マウスを使用したい場合に適当な大きさの両面カッティングシート、片面スケール付の裏面の端従方向にマジックテープを、瞬間接着剤等で強固に貼り付け運転席扉側アームレストの奥側従方向にマジックテープを瞬間接着剤等で強固に貼り付ける事により水平スペースが出来マウスの操作が可能です。多少の傾きはゴムパッキン等で調整します。適当な場所、又は、アームレストが適正で無い場合は窓掛用ドリンクホルダー等に重量物を載せマジックテープ接着部とドリンクホルダー底部を支持とした逆Ｌ型の水平スペースが出来マウスの操作が可能です。その他、多少のスケール、カッティング作業も出来ます。（１４）全物品収納〔（１１）を除く〕盗難防止カバー兼、鞄です。ノート型パソコンを板に取り付けたままの状態で収納、他、ビデオ、カメラ三脚取り付け特殊アダプター、ビデオ、カメラ三脚、マウス使用スペース板、携帯折り畳み椅子等、適当な大きさで有り取り外し可能な室内ＴＶ等のアンテナ、ケーブル、コード、ＧＰＳ、ＤＶＤ、ＶＨＳテープ等多数の物を全て収納可能な特殊鞄でも有り又、盗難防止カバーに成る物です。
【手続補正２】
【補正対象書類名】明細書
【補正対象項目名】全文
【補正方法】変更
【補正の内容】
【発明の詳細な説明】
【技術分野】
【０００１】ノート型パソコン等を自動車内に固定し操作し易い所で又、（１２）を使用にすると屋外でも省スペースで何時でも何処でもパソコン操作が出来使用エリアが大きく広がります。
【背景技術】
【０００２】殆どが決められた場所（自動車内でも）や広いスペースが必要でした。本発明は、ＰＨＳ型プロバイダ等のインターネット操作等及びパソコンデスクトップウィンドウ内の操作を何処でも出来る様にした物で自動車のハンドルに引っ掛けてノート型パソコンをパソコン鞄、ケース等から搬出、収納、又、ハンドルから固定物を外し何処かに置く様な面倒な事も無く又、机上だけで限られた固定方向移動する物とも違い非常に便利且つ省スペース使用エリアの拡大が可能となります。
【発明が解決しようとする課題】
【０００３】これらには次の様な欠点が有った。ノート型パソコンでは、空中固定方向移動によってデスクスペースを広くするだけの物で有り上記固定物は殆どの人が使用して居ない為、ノート型パソコン及びマウスが、机上を占領されている。自動車ハンドル固定型では、固定物をハンドルにセットしパソコン鞄、ケース等からノート型パソコンを出して使用後は、パソコン鞄、ケース等へ収納し固定物を又、取り外し置く。決められた場所のみの操作で又、自動車内のスペースも狭く成ります。
【課題を解決するための手段】
【０００４】ノート型パソコン（多機能、ＴＶ、ビデオ、ＤＶＤ、ＧＰＳ、ワイド画面、ＡＵＸ接続等）等、（地図、図面、測定器、本等、ノート型パソコン以下の重量物）（１）を（２）の板（滑り止めクッション付及びパソコン衝撃緩和ゴムパッキン付対振動型）に載せ（３）の調整自在（２本の止金、２本のフック付）のゴム及びチューブバンドを調整締め付け固定し移動可能な（４）丸管Ｉナット（５）座金（６）割座金（７）皿ボルトで適正位置（パソコン操作上支障の無い上下スペース箇所）に締め付け固定し（８）支持物に依り回転可能な（９）自在カバー、クッション内部付強弾力性及び移動固定自由自在な特殊蛇腹を（１０）上部回転可能（蝶ボルトに依り動、止）な支持物（１１）下部回転可能（蝶ボルトに依り動、止）な支持物を自動車助手席側のサイドボックス付近等に強固に取り付けパソコン操作を自分の操作し易い所でパソコン操作が可能です。又、自動車内に交流電源を用いる事に依り（インバーター電源等）何時までも操作可能と成ります。その他、（１０）に（１２）ビデオ、カメラ三脚取り付け特殊アダプターを蝶ボルトで締め付け固定し三脚側のビデオ、カメラ取り付けネジに依り締付け固定する事に依り自由自在な角度、高さ、が出来又、携帯折り畳み椅子等を使用すると室内外問わず何処でも省スペースで操作が可能です。（１３）マウス使用スペース板は、マウスを使用したい場合に適当な大きさの両面カッティングシート、片面スケール付の裏面の縦方向にマジックテープを瞬間接着剤等で強固に貼り付け窓側アームレストの奥側縦方向にマジックテープを瞬間接着剤等で強固に貼り付ける事に依り水平スペースが出来マウスの操作が可能です。多少の傾きはゴムパッキン等で調整します。又は、アームレストが適正で無い場合は窓掛用ドリンクホルダー等に重量物を載せマジックテープ接着部とドリンクホルダー底部を支持とした逆Ｌ型の水平スペースが出来マウスの操作が可能です。
その他、多少のスケール、カッティング作業も出来ます。（１４）全物品収納〔（１１）を除く〕盗難防止カバー兼、鞄です。ノート型パソコンを板に取り付けたままの状態での収納、ビデオ、カメラ三脚取り付け特殊アダプター、ビデオ、カメラ三脚、マウス使用スペース板、携帯折り畳み椅子等、適当な大きさで取り外し可能なＴＶ等の室内アンテナケーブル、コード、ＧＰＳ、ＤＶＤ、ＶＨＳテープ等多数の物を全て収納可能な特殊鞄でも有り又、盗難防止カバーにも成る物です。又、マウスの省略化、パソコンのパット型ポインティングデバイスのみの動作、確認、操作、殆どの人は使用していない為、不経済又、大きなスペースが、必要な状態に有ります。本発明は、以上の構成よりなるノート型パソコン、いつでも、どこでも自由自在セットと成る物である。
【発明実施の形態】
【０００５】以下本発明実施形態について説明する。ノート型パソコン（多機能、ＴＶ、ビデオ、ＤＶＤ、ＧＰＳ、ワイド画面、ＡＵＸ接続等）等、（地図、図面、測定器、本等、ノート型パソコン以下の重量物）（１）を（２）の板（滑り止めクッション付及びパソコン衝撃緩和ゴムパッキン付対振動型）に載せ（３）の調整自在（２本の止金、２本のフック付）のゴム及びチューブバンドを調整締め付け固定し移動可能な（４）丸管Ｉナット（５）座金（６）割座金（７）皿ボルトで適正位置（パソコン操作上支障の無い上下スペース箇所）に締め付け固定し（８）支持物に依り回転可能な（９）自在カバー、クッション内部付強弾力性及び移動固定自由自在な特殊蛇腹を（１０）上部回転可能（蝶ボルトに依り動、止）な支持物（１１）下部回転可能（蝶ボルトに依り動、止）支持物を自動車助手席側のサイドボックス付近等に強固に取り付けパソコン操作を自分の操作し易い所でパソコン操作が可能です。又、自動車内に交流電源を用いる事に依り（インバーター電源等）何時までも操作可能と成ります。その他、（１０）に（１２）ビデオ、カメラ三脚取り付け特殊アダプターを蝶ボルトで締め付け固定し三脚側のビデオ、カメラ取り付けネジに依り締付け固定する事に依り自由自在な角度、高さ、が出来又、携帯折り畳み椅子等を使用すると室内問わず何処でも省スペースで操作が可能です。（１３）マウス使用スペース板は、マウスを使用したい場合に適当な大きさの両面カッティングシート、片面スケール付の裏面の端縦方向にマジックテープを瞬間接着剤等で強固に貼り付け窓側アームレストの奥側縦方向にマジックテープを瞬間接着剤等で強固に貼り付ける事により水平スペースが出来マウスの操作が可能です。多少の傾きはゴムパッキン等で調整します。又は、アームレストが適正で無い場合は窓掛用ドリンクホルダー等に重量物を載せマジックテープ接着部とドリンクホルダー底部を支持とした逆Ｌ型の水平スペースが出来マウスの操作が可能です。
その他、多少のスケール、カッティング作業も出来ます。（１４）全物品収納〔（１１）を除く〕盗難防止カバー兼、鞄です。ノート型パソコンを板に取り付けたままの状態での収納、ビデオ、カメラ三脚取り付け特殊アダプター、ビデオ、カメラ三脚、マウス使用スペース板、携帯折り畳み椅子等、適当な大きさの取り外し可能なＴＶ等の室内アンテナ、ケーブル、コード、ＧＰＳ、ＤＶＤ、ＶＨＳテープ等多数の物を全て収納可能な特殊鞄でも有り又、盗難防止カバーにも成る物です。又、マウスの省略化、パソコンのパット型ポインティングデバイスのみの動作、確認、操作、殆どの人は使用していない為、不経済又、大きなスペースが、必要な状態に有ります。何時でも何処でも省スペースで移動固定可能な物に変わります。
【発明の効果】
【０００６】この発明は、ノート型パソコン等を自動車内、屋内外では、三脚スタンド式でいつでもどこでも操作が、省スペースで利用出来今までは、使用頻度の低いどんなノート型パソコンにも付いて居るパット型ポインティングを活用しマウスが不要になり経済的にも成ります。国内でＫＤＤＩ社のエアーＨ契約、２００万人以上、ＮＴＴ社のアットフリード契約、３５万人以上、他社契約、数十万人が、ＰＨＳ型インターネット、プロバイダ契約をして居りますが実際には、限られた場所のみの操作しか出来ず自動車大国日本では、必ず自動車内、手狭な事務所内では、パソコンに机を占領されている事が多々見受けられます。
又、海外を含めますと、計り知れない需要が見込まれます。その他、色々な物を移動固定が可能で有り需要は、計り知れないのです。
【図面の簡単な説明】
【０００７】
【図１】  本発明の上面図である。
【図２】  本発明の側面図である。
【図３】  本発明の板下面図である。
【図４】  本発明の自在カバー、クッション内部付強弾力性及び移動固定自由自在な特殊蛇腹の断面図である。
【図５】  ビデオ、カメラ三脚取り付け特殊アダプター全方向面図である。
【図６】  マウス使用スペース板全方向面図である。
【図７】  全物品収納〔（１１）を除く〕と盗難防止カバー兼、鞄平面姿面図である。
【符号の説明】
【０００８】  １．ノート型パソコン
２．板（滑り止めクッション付及びパソコン衝撃緩和ゴムパッキン付対振動型）
３．調整自在ゴムバンド（２本の止金、２本のフック付ゴム及びチューブバンド）
４．丸管Ｉナット
５．座金
６．割座金
７．皿ボルト
８．支持物下部（特殊蛇腹回転可能）
９．自在カバー、クッション内部付強弾力性及び移動固定自由自在な特殊蛇腹
１０．上部回転可能（蝶ボルトに依り動、止）な支持物
１１．下部回転可能（蝶ボルトに依り動、止）な支持物
１２．ビデオ、カメラ三脚取り付け特殊アダプター
１３．マウス使用スペース板
１４．全物品収納〔（１１）を除く〕盗難防止カバー兼、鞄
【手続補正３】
【補正対象書類名】図面
【補正対象項目名】全図
【補正方法】変更
【補正の内容】
【図１】
2006031651.tif 000009
【図２】
2006031651.tif 000010
【図３】
2006031651.tif 000011
【図４】
2006031651.tif 000012
【図５】
2006031651.tif 000013
【図６】
2006031651.tif 000014
【図７】
2006031651.tif 000015